(57)【要約】  【課題】  光劣化しにくい水捕集器を提供する。  【解決手段】  本発明は、空気中の水を捕集可能な水捕集器１であって、水を張って捕集可能な複数の開口部２３を有する多孔シート２０を備え、当該多孔シート２０の少なくとも表面にシリコーンゴム３５を有する水捕集器１に関する。【選択図】図１
2022001713.tif 000002
【特許請求の範囲】
【請求項１】
空気中の水を捕集可能な水捕集器であって、
水を張って捕集可能な複数の開口部を有する多孔シートを備え、
前記多孔シートの少なくとも表面にシリコーンゴムを有することを特徴とする水捕集器。
【請求項２】
前記多孔シートは網であることを特徴とする請求項１に記載の水捕集器。
【請求項３】
前記開口部は、前記多孔シートの厚さに比べて大きな円換算直径を有することを特徴とする請求項１または２に記載の水捕集器。
【請求項４】
前記多孔シートは、樹脂若しくは金属の芯材をシリコーンゴムにて被覆していることを特徴とする請求項１から３のいずれか１項に記載の水捕集器。
【請求項５】
前記多孔シートのシリコーンゴム中に、シリコーンゴムより遮熱性若しくは抗菌性の高いフィラーを含むことを特徴とする請求項１から４のいずれか１項に記載の水捕集器。
【発明の詳細な説明】
【技術分野】
【０００１】
本発明は、開口部にて水を捕集可能な水捕集器に関する。
【背景技術】
【０００２】
砂漠地帯を含む乾燥地域では、生活用水の確保が非常に難しい。特に飲料水が不十分な地域では、生命を維持するのも難しい。乾燥地域にて生活用水（飲料水も含む）を確保する方法の一つに、雨水を貯める方法がある。公知の雨水集水器としては、例えば、特許文献１に開示される機器を挙げることができる。
【先行技術文献】
【特許文献】
【０００３】
【特許文献１】特開２０１２−０５７３１９
【発明の概要】
【発明が解決しようとする課題】
【０００４】
しかし、世界の乾燥地域の中には、雨季と乾季とに分かれており、かつ雨期が短い地域も少なくない。かかる地域では、雨水集水器によって、日々必要な生活用水を確保することが難しい。このため、雨水以外に生活用水を確保する別の方法も構築するのが好ましい。
【０００５】
乾燥地域では、一般的に、昼夜の気温差が大きい。このため、夜明けに霧が発生することも少なくない。霧から生活用水を確保することができれば、雨水のみを頼りにするよりも水不足のリスクを低減できる。霧から生活用水を確保するには、例えば、開口部を複数備えたシートあるいは網を野外にさらし、開口部に張った水を集める方法が考えられる。ただし、上記シートや網を長期間、野外にさらすと、昼間の強い日差しによって網が損傷するリスクが高まる。このため、耐候性の高い網が望まれる。また、湿気の多い室内にて集水することも望まれている。その場合、上記シートや網が蛍光灯などの照明光にて劣化しにくいことが望まれる。
【０００６】
本発明は、光劣化しにくい水捕集器を提供することを目的とする。
【課題を解決するための手段】
【０００７】
（１）上記目的を達成するための一実施形態に係る水捕集器は、空気中の水を捕集可能な水捕集器であって、水を張って捕集可能な複数の開口部を有する多孔シートを備え、前記多孔シートの少なくとも表面にシリコーンゴムを有する。
（２）別の実施形態に係る水捕集器において、好ましくは、前記多孔シートは網でも良い。
（３）別の実施形態に係る水捕集器において、好ましくは、前記開口部は、前記多孔シートの厚さに比べて大きな円換算直径を有しても良い。
（４）別の実施形態に係る水捕集器において、好ましくは、前記多孔シートは、樹脂若しくは金属の芯材をシリコーンゴムにて被覆していても良い。
（５）別の実施形態に係る水捕集器において、好ましくは、前記多孔シートのシリコーンゴム中に、シリコーンゴムより遮熱性若しくは抗菌性の高いフィラーを含んでも良い。
【発明の効果】
【０００８】
本発明によれば、光劣化しにくい水捕集器を提供できる。
【図面の簡単な説明】
【０００９】
【図１】図１は、第１実施形態に係る水捕集器の正面図および当該正面図中の一部Ａの拡大図を示す。
【図２】図２は、図１の水捕集器の網の一部Ｂを取り出したときの各種構造例（２Ａ，２Ｂ，２Ｃ）を示す。
【図３】図３は、第２実施形態に係る水捕集器において、図１の水捕集器の一部Ａの拡大図と同視の拡大図および当該拡大図中の一部Ｅの拡大図を示す。
【発明を実施するための形態】
【００１０】
次に、本発明の各実施形態について、図面を参照して説明する。なお、以下に説明する各実施形態は、特許請求の範囲に係る発明を限定するものではなく、また、各実施形態の中で説明されている諸要素及びその組み合わせの全てが本発明の解決手段に必須であるとは限らない。
【００１１】
＜第１実施形態＞
図１は、第１実施形態に係る水捕集器の正面図および当該正面図中の一部Ａの拡大図を示す。
【００１２】
第１実施形態に係る水捕集器１は、空気中の水を捕集可能である。水捕集器１は、複数の開口部２３を有する網２０（多孔シートの一例）を備えている。この実施形態では、水捕集器１は、好ましくは、網２０を囲う枠体１１と、網２０を備えた枠体１１を設置可能な２本の足部１２と、を備える。
【００１３】
網２０は、縦糸２１と横糸２２とを用いて編んで構成されている。網２０は、開口部２３に水を張って、水を捕集可能な部位である。開口部２３の形状は、この実施形態では矩形である。開口部２３は、好ましくは、網２０の厚さに比べて大きな円換算直径Ｄを有する。当該厚さより開口部２３の円換算直径Ｄを大きくする方が水を開口部２３に張って保持しやすくなると共に、網２０を振動させた際に開口部２３から水を振り落としやすくなる。ここで、「円換算直径」は、開口部２３の開口面積をそれと同じ面積の円２３ａに換算したときの直径を意味する。網２０の厚さは、この実施形態では、網２０の面積中、最も厚さの大きくなる部位とし、縦糸２１と横糸２２との交差部位の厚さである。その厚さの具体的な値は、縦糸２１の直径ｗ１と横糸２２の直径ｗ２との総和である。開口部２３の円換算直径Ｄは、例えば、０．１ｍｍ〜１０ｍｍ、好ましくは０．１ｍｍ〜５ｍｍ、さらに好ましくは０．１ｍｍ〜３ｍｍである。開口部２３が小さいほど、水捕集器１によって水を捕集しやすい。
【００１４】
図２は、図１の水捕集器の網の一部Ｂを取り出したときの各種構造例（２Ａ，２Ｂ，２Ｃ）を示す。以下、横糸２２を例にその構造を説明するが、縦糸２１の構造も横糸２２の構造と同様である。
【００１５】
図２（２Ａ）の横糸２２は、シリコーンゴム３５製の複数の繊維３２を撚り合わせた糸２２ａ，２２ｂ，２２ｃを、さらに撚った撚糸である。繊維３２自体がシリコーンゴム３５で構成されていることから、横糸２２は、その内部から表面に亘る全領域がシリコーンゴム３５で構成されている。
【００１６】
図２（２Ｂ）の横糸２２は、一本のシリコーンゴム３５製の糸であり、前述のような複数の繊維３２から糸２２ａ，２２ｂ，２２ｃを構成してさらにそれらを撚り合わせた構造の横糸２２とは異なる。
【００１７】
図２（２Ｃ）の横糸２２は、合成樹脂製若しくは天然樹脂製の繊維３２の複数本を撚り合わせた糸２２ａ，２２ｂ，２２ｃをさらに撚った撚糸の表面を、シリコーンゴム３５で被覆した糸である（Ｃ−Ｃ断面図を参照）。このため、横糸２２では、その内部は樹脂３４であるが、表面はシリコーンゴム３５である。
【００１８】
図２に例示した横糸２２と、それと同様の構造の縦糸２１とを編んだ網２０は、少なくとも表面にシリコーンゴム３５を有する。この結果、耐光性（水捕集器１を屋外に設置した場合には、特に「耐候性」と称する。）に優れた水捕集器１を構成できる。なお、繊維３２は、樹脂３４以外の材料、例えば、ＳＵＳ、鉄、アルミニウム等の金属であっても良い。このように、網２０を構成する縦糸２１および／または横糸２２は、樹脂若しくは金属の芯材をシリコーンゴム３５にて被覆して構成し、またはシリコーンゴム３５のみで構成することができる。
【００１９】
＜第２実施形態＞
次に、第２実施形態に係る水捕集器について説明する。前述の実施形態と共通する部分については同じ符号を付して重複した説明を省略する。
【００２０】
図３は、第２実施形態に係る水捕集器において、図１の水捕集器の一部Ａの拡大図と同視の拡大図および当該拡大図中の一部Ｅの拡大図を示す。
【００２１】
第２実施形態に係る水捕集器１は、第１実施形態に係る水捕集器１の網２０に代えて、複数の開口部２３を備える多孔シート２０ａを備える。開口部２３の形状は、この実施形態では、真円であるが、真円以外の形状でも良い。開口部２３の直径Ｄは、好ましくは、多孔シート２０ａの厚さｔに比べて大きい。厚さｔより開口部２３の直径（円換算直径と称しても良い）Ｄを大きくする方が水を開口部２３に張って保持しやすくなると共に、多孔シート２０ａを振動させた際に開口部２３から水を振り落としやすくなる。開口部２３の直径Ｄは、例えば、０．１ｍｍ〜１０ｍｍ、好ましくは０．１ｍｍ〜５ｍｍ、さらに好ましくは０．１ｍｍ〜３ｍｍである。開口部２３が小さいほど、水捕集器１によって水を捕集しやすい。
【００２２】
多孔シート２０ａは、シリコーンゴム３５中に、フィラー３８を分散含有したシートである。フィラー３８は、好ましくは、シリコーンゴム３５より遮熱性および／または抗菌性の高いフィラーである。そのようなフィラー３８としては、例えば、酸化チタンなどの金属酸化物、銀などの金属を選択可能である。
【００２３】
＜その他の実施形態＞
以上、本発明の各実施形態について説明したが、本発明は、上記各実施形態に限定されず、本発明の目的を逸脱しない限り、各種変形を施して実施可能である。
【００２４】
例えば、水捕集器１は、屋外に設置して霧などから水を捕集するのに使用可能であるが、屋内の多湿空間に設置しても良い。また、災害時に水を必要になるときに備えて、水捕集器１を屋内または屋外に備えても良い。
【００２５】
枠体１１は、水捕集器１にとって必須ではない。枠体１１に代えて、多孔シート（網２０も含まれる）の外周の一部（例えば、一辺）に固定される外縁部材を水捕集器１に備えても良い。また、水捕集器１は、枠体１１を備えずに、多孔シートと足部１２とを備えていても良い。
【産業上の利用可能性】
【００２６】
本発明に係る水捕集器は、例えば、野外に設置して霧や露を複数の開口部に張って水を捕集する機器、あるいは屋内に設置して空気中の水分を開口部に張って水を捕集する機器として利用可能である。
【符号の説明】
【００２７】
１・・・水捕集器、２０・・・網（多孔シートの一例）、２０ａ・・・多孔シート、２１・・・縦糸、２２・・・横糸、２３・・・開口部、３４・・・樹脂、３５・・・シリコーンゴム、３８・・・フィラー。
【図１】
2022001713.tif 000003
【図２】
2022001713.tif 000004
【図３】
2022001713.tif 000005